(57)【要約】【課題】住宅の基礎本体の工事に先駆けて打設された捨てコンクリート上に、建物の外周や間仕切りの通りなどを風などの影響を受けることなく、一人で簡単かつ正確に墨出しができる水糸用下げ振りを提供する。【解決手段】下げ振りの吊り糸に、その吊り糸の全長に値する幅広い長さ調節を可能とするための所要形状の長手方向に糸孔と複数の糸調節孔を並設した糸調節部材と下げ振りを水糸に掛止するためのフックを設けたことを特徴とする。【選択図】図１
2005201643.tif 000002
【特許請求の範囲】
【請求項１】
下げ振りの吊り糸（２）に、その吊り糸（２）の全長に値する幅広い長さ調節を可能とするための所要形状の長手方向に糸孔（４）と複数の糸調節孔（５）を並設した糸調節部材（３）と、下げ振りを水糸に掛止するためのフック（６）を設けた水糸用下げ振り。
【発明の詳細な説明】
【技術分野】
【０００１】
本発明は、住宅の基礎本体の工事に先駆けて打設された捨てコンクリート上に、建物の外周や間仕切りの通りなどを墨出しする際に使用する水糸用下げ振りに関するものである。
【背景技術】
【０００２】
従来、建物の外周や間仕切りの通りなどは水杭に水貫と呼ばれる幅の狭い板を打ち付けたもので敷地を囲み、それぞれの通りの中心線に合わせて貫板に水糸を掛けた丁張によって設定されている。住宅の基礎本体の工事に先駆けて打設された捨てコンクリート上に建物の外周や間仕切りの通りを墨出しするには、基準となる水糸の通りをトランシットと呼ばれる測量機器や水平器、下げ振りなどを使用して捨てコンクリート上に移す作業を行う。                                                                                                                                                                    
【０００３】
トランシットの設置が困難な根切りの形状や狭い現場での作業時、また水平器の長さ以上に水糸と捨てコンクリートまでの距離がある場合などは下げ振りを使う場合が一般的で、一人の作業者があらかじめ張られた水糸の所定位置に合わせるようにして下げ振りの糸の端を持ち、もう一人の作業者が垂直方向に錘が指し示すポイントに印を打つというように墨出し作業を行っていた。
【発明の開示】
【発明が解決しようとする課題】
【０００４】
そのために、次のような問題点が発生していた。
（イ）       
水糸が風の影響を受けて揺れている時、下げ振りの糸を持った手を安定させて正確な位置を印すことは非常に煩わしく手間のかかる作業であり、作業効率の低下を招いていた。
（ロ）       
下げ振りの振れを出さずに正確な位置を印すためには熟練を必要とした。
本発明は、これらの問題点を解決するためになされたものである。
【課題を解決するための手段】
【０００５】
下げ振りの吊り糸に、その吊り糸の全長に値する幅広い長さ調節を可能とするための所要形状の長手方向に糸孔と複数の糸調節孔を並設した糸調節部材を設ける。さらに、下げ振りを水糸に掛止するためのフックを設ける。
本発明は、以上のような構成からなる水糸用下げ振りである。
【発明の効果】
【０００６】
本発明の水糸用下げ振りは、あらかじめ張られた水糸に下げ振りを掛けることにより風の影響を受けて揺れている水糸が錘の自重で垂直方向に引っ張られるために正確な墨出し位置を印すことが可能となり、手で下げ振りの吊り糸を持つ必要がないため手振れによる正確な位置合わせををする煩わしさや手間が省け、未熟な作業者でも簡単な操作でかつ正確な墨出し位置を印すことができるという利点がある。
【０００７】
また、本発明における墨出し作業の全工程をひとりの作業者で対応できるため、作業効率の改善という点からしても大いに期待できる。
【発明を実施するための最良の形態】
【０００８】
以下、本発明の実施の形態について説明する。
（イ）下げ振りの吊り糸（２）を所要形状の糸調節部材（３）の長手方向に設けられた糸孔（４）に挿通する。
（ロ）    
次に、下げ振りを水糸に掛止するためのフック（６）に挿通する。
（ハ）   
次に、所要形状の糸調節部材（３）の長手方向に設けられた糸調節孔（５）に、吊り糸（２）をＡ・Ｂ・Ｃの順に波縫いの要領で挿通し、吊り糸先端部が糸調節孔（５）−Ｃの穴を抜けないよう結び目を作るかとめ具（７）を設ける。
【実施例１】
【０００９】
本発明は以上のような構造で、これを使用する時はあらかじめ張られた水糸の所定位置にフック（６）を掛ける。図２に示すように、フック（６）を水糸に掛けることにより錘（１）の重みで水糸が垂直方向に下がった状態が生じる。この時の水糸（９）から捨てコンクリート（１２）までの距離Ｄは水糸の張り具合、水糸の強度、錘の重さ、フックを掛ける位置などによって変わるため、この距離Ｄの可変性に対応する手段として吊り糸（２）の幅広い長さ調節が必要となる。
【００１０】
そこで片手で糸調節部材（３）を持ち、もう一方の手で糸調節部材（３）を基準として糸孔（４）に挿通されている吊り糸（２）をフック（６）側へ引くことにより、フック（６）から錘（１）までの吊り糸の長さを短く、あるいは逆に糸孔（４）に挿通されている吊り糸（２）を錘（１）側へ引くことにより、フック（６）から錘（１）までの長さを長く調節することができる。（吊り糸調節方法１）
【００１１】
下げ振りの吊り糸を調節する手段としてこのような技術はすでにトランシットという角度や距離を測る測量機器に取り付けられた下げ振りの糸調節方法にも用いられているが、この技術での吊り糸調節範囲は糸調節部材から錘までの全長から１/２の範囲でしか調節ができないため、可変的な距離Ｄに対応する手段としては不十分である。
【００１２】
そこで本発明はさらに糸調節部材（３）に複数の糸調節孔（５）を設け、吊り糸（２）を（５）−Ａ、（５）−Ｂ、（５）−Ｃの順に波縫いの要領で挿通し、糸調節部材（３）を基準として吊り糸（２）を止め具（７）側へ引くことで図３に示すように吊り糸（２）の長さをほぼ０ｍの長さにまで調節することを可能とした。（吊り糸調節方法２）  これにより吊り糸（２）の全長に値する糸の長さを自由自在に調節できるため、先に述べた距離Ｄの可変性に充分な対応が可能となる。
【００１３】
以上のように作業者は吊り糸調節方法２の要領であらかじめ予測した距離Ｄに相当する長さに吊り糸（２）の長さを調節してから水糸（９）の所定位置にフック（６）を掛け、錘（１）の先端ができるだけ捨てコンクリート（１２）上に近づくように吊り糸調節方法１の要領で吊り糸（２）の長さを調節する。
【００１４】
糸調節部材（３）から手を離した時点で錘（１）の自重によって吊り糸（２）を挿通した糸調節部材（３）の長手方向がほぼ垂直に傾くため、糸孔（４）に挿通された吊り糸（２）が糸調節部材（３）の厚さ分屈折することになり錘（１）の自重や僅かな振動などによるスリップ降下が生じることはなく、調節した糸の長さが保持される。したがって作業者は片手で錘（１）の振れを止め、筆記具を持ったもう一方の手で素早く墨出し位置を捨てコンクリート（１２）上に印すことができる。
【実施例２】
【００１５】
また図４に示すように、深基礎と呼ばれる水糸と捨てコンクリートまでの距離が長い場合には、下げ振りの吊り糸を長いものに替えるか補助糸（８）を使用することで対応できる。
【実施例３】
【００１６】
また、止め具（７）は錘（１）と同形状としてデザインに統一性をもたせることも可能である。
【実施例４】
【００１７】
形成された水糸用下げ振り本体や替え吊り糸、補助糸などの付属品は紛失することのないよう、墨出し用具とともに専用の収納ケースを形成することも可能である。
【図面の簡単な説明】
【００１８】
【図１】本発明の斜視図
【図２】本発明の使用状態を示す説明図
【図３】吊り糸の全長に値する長さが調節できることを説明するための説明図
【図４】本発明の他の実施例図
【符号の説明】
【００１９】
１    錘
２    吊り糸
３    糸調節部材
４    糸孔
５    糸調節孔
６    フック
７    止め具
８    補助糸
９    水糸
１０    水貫
１１    水杭
１２    捨てコンクリート
【図１】
2005201643.tif 000003
【図２】
2005201643.tif 000004
【図３】
2005201643.tif 000005
【図４】
2005201643.tif 000006